(57)【要約】【課題】  表示装置の輝度または色度を容易に調整できるようにする。【解決手段】  カラーセンサ８０は、PDP３１に表示されている所定の色の輝度Ｙ１と色度ｘ１，ｙ１を検出し、マイクロコンピュータ８１に供給する。マイクロコンピュータ８１は、EEPROM８３から輝度の基準値Ｙ２および色度の基準値ｘ２，ｙ２を取得し、基準値の範囲内に、カラーセンサ８０により検出された輝度Ｙ１と色度ｘ１，ｙ１があるか否かを判定し、基準値の範囲内に検出された輝度と色度がないと判定された場合、ビデオゲインコントローラ８２は、ビデオゲインを調整する調整信号を駆動部４３に供給する。駆動部４３は、ゲインが調整されたビデオ信号をPDP３１に表示させる。本発明は、プラズマディスプレイに適用することができる。【選択図】図２
2005049609.tif 000002
【特許請求の範囲】
【請求項１】
表示装置に装着され、前記表示装置の輝度または色度のうち少なくとも一方を調整対象として調整する調整装置において、
前記調整対象の基準値を記憶する基準値記憶手段と、
前記表示装置に表示された画像から前記調整対象を検出する検出手段と、
前記基準値記憶手段により記憶された前記基準値と、前記検出手段により検出された前記調整対象を比較する比較手段と、
前記比較手段の比較結果に基づいて、前記表示装置の前記調整対象を調整する調整手段と
を備えることを特徴とする調整装置。
【請求項２】
前記比較手段は、前記検出手段により検出された前記調整対象が、前記基準値により定められる範囲にあるか否かを判定し、
前記調整手段は、前記比較手段による判定により、前記検出手段により検出された前記調整対象が、前記基準値により定められる範囲にないと判定された場合、前記表示装置の前記調整対象を調整する
ことを特徴とする請求項１に記載の調整装置。
【請求項３】
前記検出手段による検出を開始する指令を受け付ける受付手段をさらに備える
ことを特徴とする請求項１に記載の調整装置。
【請求項４】
他の調整装置と通信する通信手段をさらに備え、
前記通信手段は、前記基準値記憶手段に記憶された前記基準値を前記他の調整装置に送信するとともに、前記検出手段による検出を開始する指令を送信する
ことを特徴とする請求項１に記載の調整装置。
【請求項５】
前記検出手段は、前記表示装置の有効表示画面領域外に表示された１０％の白信号に基づく画像、および、１００％の白信号に基づく画像の前記調整対象を検出する
ことを特徴とする請求項１に記載の調整装置。
【請求項６】
前記検出手段は、前記表示装置に表示された画像から前記調整対象を検出することにより、前記表示装置が使用可能であるか否かを検出し、
前記検出手段により前記表示装置が使用可能でないと検出された場合、前記表示装置の交換を促す通知を行なう通知手段をさらに備える
ことを特徴とする請求項１に記載の調整装置。
【請求項７】
表示装置に装着され、前記表示装置の輝度または色度のうち少なくとも一方を調整対象として調整する調整装置の調整方法において、
前記表示装置に表示された画像から前記調整対象を検出する検出ステップと、
予め記憶されている前記調整対象の基準値と、前記検出ステップの処理により検出された前記調整対象を比較する比較ステップと、
前記比較ステップの処理による比較結果に基づいて、前記表示装置の前記調整対象を調整する調整ステップと
を含むことを特徴とする調整方法。
【請求項８】
表示装置に装着され、前記表示装置の輝度または色度のうち少なくとも一方を調整対象として調整するプログラムであって、
前記表示装置に表示された画像から前記調整対象を検出する検出ステップと、
予め記憶されている前記調整対象の基準値と、前記検出ステップの処理により検出された前記調整対象を比較する比較ステップと、
前記比較ステップの処理による比較結果に基づいて、前記表示装置の前記調整対象を調整する調整ステップと
を含む処理をコンピュータに実行させることを特徴とするプログラムが記録されている記録媒体。
【請求項９】
表示装置に装着され、前記表示装置の輝度または色度のうち少なくとも一方を調整対象として調整するプログラムであって、
前記表示装置に表示された画像から前記調整対象を検出する検出ステップと、
予め記憶されている前記調整対象の基準値と、前記検出ステップの処理により検出された前記調整対象を比較する比較ステップと、
前記比較ステップの処理による比較結果に基づいて、前記表示装置の前記調整対象を調整する調整ステップと
を含む処理をコンピュータに実行させることを特徴とするプログラム。
【発明の詳細な説明】
【技術分野】
【０００１】
本発明は、調整装置および方法、記録媒体、並びにプログラムに関し、特に、表示装置の輝度または色度を容易に調整できるようにした調整装置および方法、記録媒体、並びにプログラムに関する。
【背景技術】
【０００２】
従来、設置したプラズマディスプレイ（Plasma Display）の輝度または色度を調整する場合、ユーザは、カラーセンサをプラズマディスプレイに近づけて、カラーセンサに輝度または色度を検出させ、その検出された値に基づいて、プラズマディスプレイに設けられている輝度または色度を変更するつまみを調整していた。
【０００３】
しかしながら、プラズマディスプレイは大型であるため、ユーザが届かない場所に設置されることもある。そのため、容易に調整ができないという問題があった。
【０００４】
そこで、例えば、特許文献１には、表示画面の輝度がユーザによって設定された際に、センサによる周囲の明るさの検出値とユーザによって設定された輝度値に基づいて、表示画面の輝度特性を設定し、調整後は、設定された輝度特性とセンサからの検出信号に基づいて、表示画面の輝度を自動調整するようにしたフラットパネルディスプレイ装置が開示されている。
【特許文献１】特開２００１−１３４２５５号公報
【発明の開示】
【発明が解決しようとする課題】
【０００５】
しかしながら、プラズマディスプレイを複数台設置するような展示会場では、ユーザにより設定された値が同じであっても、パネルの特性により輝度と色度が異なるため、実際に表示される輝度と色度が異なってしまい、輝度と色度を統一させることができないという課題があった。
【０００６】
また、ユーザがそれぞれのプラズマディスプレイにカラーセンサを近づけて輝度と色度を調整する方法では、調整に莫大な時間がかかるという課題があった。
【０００７】
本発明はこのような状況に鑑みてなされたものであり、表示装置の輝度または色度を容易に調整できるようにするものである。
【課題を解決するための手段】
【０００８】
本発明の調整装置は、表示装置に装着され、表示装置の輝度または色度のうち少なくとも一方を調整対象として調整する調整装置であって、調整対象の基準値を記憶する基準値記憶手段と、表示装置に表示された画像から調整対象を検出する検出手段と、基準値記憶手段により記憶された基準値と、検出手段により検出された調整対象を比較する比較手段と、比較手段の比較結果に基づいて、表示装置の調整対象を調整する調整手段とを備えることを特徴とする。
【０００９】
比較手段は、検出手段により検出された調整対象が、基準値により定められる範囲にあるか否かを判定し、調整手段は、比較手段による判定により、検出手段により検出された調整対象が、基準値により定められる範囲にないと判定された場合、表示装置の調整対象を調整するようにすることができる。
【００１０】
検出手段による検出を開始する指令を受け付ける受付手段をさらに備えるようにすることができる。
【００１１】
他の調整装置と通信する通信手段をさらに備え、通信手段は、基準値記憶手段に記憶された基準値を他の調整装置に送信するとともに、検出手段による検出を開始する指令を送信するようにすることができる。
【００１２】
検出手段は、表示装置の有効表示画面領域外に表示された１０％の白信号に基づく画像、および、１００％の白信号に基づく画像の調整対象を検出するようにすることができる。
【００１３】
検出手段は、表示装置に表示された画像から調整対象を検出することにより、表示装置が使用可能であるか否かを検出し、検出手段により表示装置が使用可能でないと検出された場合、表示装置の交換を促す通知を行なう通知手段をさらに備えるようにすることができる。
【００１４】
本発明の調整方法は、表示装置に装着され、表示装置の輝度または色度のうち少なくとも一方を調整対象として調整する調整装置の調整方法であって、表示装置に表示された画像から調整対象を検出する検出ステップと、予め記憶されている調整対象の基準値と、検出ステップの処理により検出された調整対象を比較する比較ステップと、比較ステップの処理による比較結果に基づいて、表示装置の調整対象を調整する調整ステップとを含むことを特徴とする。
【００１５】
本発明の記録媒体は、表示装置に表示された画像から調整対象を検出する検出ステップと、予め記憶されている調整対象の基準値と、検出ステップの処理により検出された調整対象を比較する比較ステップと、比較ステップの処理による比較結果に基づいて、表示装置の調整対象を調整する調整ステップとを含む処理をコンピュータに実行させることを特徴とする。
【００１６】
本発明のプログラムは、表示装置に表示された画像から調整対象を検出する検出ステップと、予め記憶されている調整対象の基準値と、検出ステップの処理により検出された調整対象を比較する比較ステップと、比較ステップの処理による比較結果に基づいて、表示装置の調整対象を調整する調整ステップとを含む処理をコンピュータに実行させることを特徴とする。
【００１７】
本発明によれば、表示装置に表示された画像から調整対象が検出され、予め記憶されている調整対象の基準値と、検出された調整対象が比較され、表示装置の調整対象が調整される。
【発明の効果】
【００１８】
本発明によれば、表示装置の輝度または色度を調整することができる。特に、この発明によれば、予め記憶されている調整対象の基準値と、表示装置に表示された画像から検出した調整対象に基づいて、前記表示装置の輝度または基準値を容易に調整することができる。
【発明を実施するための最良の形態】
【００１９】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２０】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２１】
請求項１に記載の調整装置（例えば、図２の調整部７０または図１５の調整部３１０）は、前記調整対象（例えば、輝度または色度）の基準値を記憶する基準値記憶手段（例えば、図２のEEPROM８３または、図１５の参照レベル記憶部３７０）と、前記表示装置に表示された画像から前記調整対象を検出する検出手段（例えば、図２のカラーセンサ８０または図１５の輝度検出部３５０）と、前記基準値記憶手段により記憶された前記基準値と、前記検出手段により検出された前記調整対象を比較する比較手段（例えば、図２のマイクロコンピュータ８１または図１５の比較部３６０）と、前記比較手段の比較結果に基づいて、前記表示装置の前記調整対象を調整する調整手段（例えば、図２のビデオゲインコントローラ８２または図１５のγテーブル調整部３９０）とを備えることを特徴とする。
【００２２】
請求項２に記載の調整装置（例えば、図２の調整部７０）の前記比較手段は、前記検出手段により検出された前記調整対象が、前記基準値により定められる範囲にあるか否かを判定し（例えば、図３のステップＳ７）、前記調整手段は、前記比較手段による判定により、前記検出手段により検出された前記調整対象が、前記基準値により定められる範囲にないと判定された場合、前記表示装置の前記調整対象を調整することを特徴とする。
【００２３】
請求項３に記載の調整装置（例えば、図２の調整部７０）は、前記検出手段による検出を開始する指令を受け付ける受付手段（例えば、図２の操作部８４、または受光部８５）をさらに備えることを特徴とする。
【００２４】
請求項４に記載の調整装置（例えば、図２の調整部７０）は、他の調整装置と通信する通信手段（例えば、図２の通信部８６）をさらに備え、前記通信手段は、前記基準値記憶手段に記憶された前記基準値を前記他の調整装置に送信するとともに、前記検出手段による検出を開始する指令を送信する（例えば、図８のステップＳ１０５）ことを特徴とする。
【００２５】
請求項５に記載の調整装置（例えば、図１５の調整部３１０）の前記検出手段は、前記表示装置の有効表示画面領域外に表示された１０％の白信号に基づく画像、および、１００％の白信号に基づく画像の前記調整対象を検出する（例えば、図１７のステップＳ３０１または図１８のステップＳ３１０）ことを特徴とする。
【００２６】
請求項６に記載の調整装置（例えば、図１５の調整部３１０）の前記検出手段は、前記表示装置に表示された画像から前記調整対象を検出することにより、前記表示装置が使用可能であるか否かを検出し（例えば、図１８のステップＳ３１８）、前記検出手段により前記表示装置が使用可能でないと検出された場合、前記表示装置の交換を促す通知を行なう通知手段（例えば、図１８のステップＳ３１９の処理を実行する図１５の駆動部３０１）をさらに備えることを特徴とする。
【００２７】
請求項７に記載の調整方法は、前記表示装置に表示された画像から前記調整対象を検出する検出ステップ（例えば、図３のステップＳ４、図１７のステップＳ３０２、または図１８のステップＳ３１１）と、予め記憶されている前記調整対象の基準値と、前記検出ステップの処理により検出された前記調整対象を比較する比較ステップ（例えば、図３のステップＳ７、図１７のステップＳ３０４、または図１８のステップＳ３１３）と、前記比較ステップの処理による比較結果に基づいて、前記表示装置の前記調整対象を調整する調整ステップ（例えば、図４のステップＳ９、図１７のステップＳ３０８または図１８のステップＳ３１７）とを含むことを特徴とする。
【００２８】
なお、請求項８に記載の記録媒体の構成要件、および請求項９に記載のプログラムの構成要件と、発明の実施の形態における具体例との対応関係は、上述した請求項７に記載の調整方法と同様であるので、その記載は省略する。
【００２９】
以下に、本発明の実施の形態について図面を参照して説明する。
【００３０】
図１は、本発明を適用したプラズマディスプレイ１の分解斜視図である。
【００３１】
プラズマディスプレイ（映像表示装置）１は、前面筐体１１−１および背面筐体１１−２が１つに組み合わされて構成される筐体１１と、筐体１１の内部に収容される内部ユニット１２とを備えている。
【００３２】
前面筐体１１−１の前面には、ガラス等よりなる透光部２１が設けられている。また、前面筐体１１−１の上部と下部には、それぞれ複数の通風口２２が水平方向に並んで形成されている。また、背面筐体１１−２の上部と下部にも、前面筐体１１−１と同様に、それぞれ複数の通風口２２が水平方向に並んで形成されている。
【００３３】
内部ユニット１２には、PDP（プラズマディスプレイパネル（表示パネル））３１、熱伝導シート３２、およびフレームシャーシ３３が設けられている。フレームシャーシ３３は、背面筐体１１−２に近接する位置に配置され、フレームシャーシ３３の前面であって、前面筐体１１−１に近接する位置にPDP３１が配置され、フレームシャーシ３３とPDP３１の間に、シリコン等により構成される熱伝導シート３２が配置されている。
【００３４】
フレームシャーシ３３には、複数の固定ボス４１およびPDP３１の非表示部（有効表示画面領域外）を含むPDP３１に対応した環状の熱伝導板４２が設けられている。固定ボス４１は、駆動部４３−１，４３−２、および調整部７０を熱伝導板４２に取り付けるためのものであり、駆動部４３−１，４３−２、および調整部７０のそれぞれに対して４個ずつ設けられている（図中では、隠れている固定ボス４１もある）。駆動部４３−１および４３−２は、PDP３１と電気的に接続されており、調整部７０は、駆動部４３−１および４３−２と電気的に接続されている。
【００３５】
駆動部４３−１および４３−２は、PDP３１の発光駆動およびその制御を行なう。また、調整部７０は、PDP３１の背面から漏れる光を検出するとともに、検出した光の輝度と色度に基づいて、輝度と色度を調整する調整信号を生成し、駆動部４３−１および駆動部４３−２に調整信号を供給する。以下、駆動部４３−１および駆動部４３−２を合わせて、駆動部４３と称する。なお、固定ボス４１と熱伝導板４２は、一体化されていてもよい。
【００３６】
図２は、図１のプラズマディスプレイ１の機能的構成例を示すブロック図である。
【００３７】
プラズマディスプレイ１には、PDP３１、駆動部４３、および調整部７０が設けられている。
【００３８】
調整部７０には、カラーセンサ８０、マイクロコンピュータ８１、ビデオゲインコントローラ８２、EEPROM（Electrically Erasable Programmable Read-Only Memory）８３、操作部８４、受光部８５、および通信部８６が設けられている。
【００３９】
カラーセンサ８０は、PDP３１の背面に漏れてきた光を検出し、検出した光に対する輝度信号Ｙ１、色度信号ｘ１およびｙ１をマイクロコンピュータ８１に出力する。マイクロコンピュータ８１は、カラーセンサ８０、ビデオゲインコントローラ８２、EEPROM８３、操作部８４、受光部８５、および通信部８６に接続されており、各部を制御する。
【００４０】
EEPROM８３には、輝度と色度の基準値が記憶されている。例えば、色温度を９３００Ｋ（ケルビン）に合わせるとした場合、色度の値としては、例えば、ｘ＝０．２８３,ｙ＝０．２９８、輝度の値としては、例えば、Ｙ＝２００が記憶されている。また、NTSC（National Television System Committee）を基準とした場合、赤色（R）の基準値としては、例えば、ｘ＝０．６７，ｙ＝０．３３が記憶され、緑色の基準値としては、例えば、ｘ＝０．２１，ｙ＝０．７１が記憶され、青色の基準値としては、例えば、ｘ＝０．１４，ｙ＝０．０８が記憶されている。
【００４１】
操作部８４は、ユーザからの指令を受け付け、指令に対応する信号をマイクロコンピュータ８１に出力する。受光部８５は、図示せぬリモートコントローラから発光された赤外線信号を受光し、受光した赤外線信号に基づく信号をマイクロコンピュータ８１に出力する。通信部８６は、マイクロコンピュータ８１の制御に基づいて、他の機器と通信する。
【００４２】
ビデオゲインコントローラ８２は、マクロコンピュータ８１からの制御に基づいて、ビデオゲイン（利得）を調整する調整信号を生成し、これを駆動部４３−１および４３−２からなる駆動部４３に供給する。駆動部４３は、調整信号により調整されたビデオゲインで、ビデオ信号（図示せぬビデオ端子から供給されるビデオ信号）に基づく映像を表示させるようにPDP３１を駆動する。
【００４３】
次に、図３と図４のフローチャートを参照して、図２のプラズマディスプレイ１における表示調整処理を説明する。
【００４４】
ステップＳ１において、マイクロコンピュータ８１は、表示調整処理（の開始）が指令されたか否かを判定し、指令されたと判定されるまで待機する（すなわち、この処理は、表示調整処理の開始が指令されたとき開始される）。マイクロコンピュータ８１は、操作部８４が、ユーザからの表示調整処理を開始する指令を受けた場合、または、受光部８５が、ユーザからの表示調整処理を開始する指令に対応する赤外線信号を受光したとき、表示調整処理（の開始）が指令されたと判定する。
【００４５】
ステップＳ１において、表示調整処理が指令されたと判定された場合、ステップＳ２において、駆動部４３（駆動部４３−１および駆動部４３−２）は、PDP３１に所定の色（例えば、白色）を表示させる。
【００４６】
ステップＳ３において、マイクロコンピュータ８１は、マイクロコンピュータ８１は、カラーセンサ８０に輝度と色度の測光を指令する。このとき、PDP３１の前面には、一面に白色の画像が表示されている。
【００４７】
ステップＳ４において、カラーセンサ８０は、輝度と色度を測光する（輝度と色度を検出する）。いま、PDP３１の前面には、一面に白色の画像が表示されているので、カラーセンサ８０は、前面に表示された白色の画像に対する、背面の光（背面まで漏れてきた光）の輝度Ｙと色度ｘ,ｙを測光する。
【００４８】
カラーセンサ８０は、例えば、赤色（中心波長が約６２０ｎｍ（ナノメートル））、青色（中心波長が約５５５ｎｍ）、および緑色（中心波長が約４５０ｎｍ）の単色の３つのカラーフィルタ、３つのフォトダイオード（各単色用）（または、３つのフォトトランジスタ）、並びに、Ａ（Analog）／Ｄ（Digital）コンバータおよび演算器により構成されている。
【００４９】
光は、それぞれの単色カラーフィルタを介して、対応するフォトダイオードに入射される。フォトダイオードは、入射された光の強さによって、大きさの異なる電流を発生する。すなわち、フォトダイオードは、それぞれの色（３色）に対応する強さの電流を発生する。Ａ／Ｄコンバータは、フォトダイオードからの電流をＡ／Ｄ変換し、演算器は、変換されたディジタル値を、ｘとｙの値に変換する（演算する）。フォトダイオードは、入射光の波長により感度に差が出たり（例えば、赤色は強くなり、青色は弱くなる）、温度によっても変化するため、これらの補正も演算器により行なわれる。
【００５０】
なお、輝度は、これらの各単色センサー（単色カラーフィルタおよび対応するフォトダイオード）からの出力の総量で測定してもよいし、単独で別のフォトダイオードを設けるようにしてもよい。単独で別のフォトダイオードを設けるようにした場合、確度を上げることができる。
【００５１】
また、カラーセンサ８０は、上述した構成に限らず、輝度と色度を検出できるような構成であればなんでもよい。
【００５２】
図３に戻って、ステップＳ５において、マイクロコンピュータ８１は、カラーセンサ８０から輝度Ｙ１および色度ｘ１，ｙ１を取得する。すなわち、カラーセンサ８０により（ステップＳ３の処理で）測定された輝度Ｙ、および色度ｘ,ｙは、輝度Ｙ１および色度ｘ１,ｙ１として、マイクロコンピュータ８１に取得される。
【００５３】
ステップＳ６において、マイクロコンピュータ８１は、EEPROM８３から輝度と色度の基準値Ｙ２（輝度の基準値），ｘ２，ｙ２（色度の基準値）を取得する。上述したように、EEPROM８３には、輝度Ｙおよび色度ｘ，ｙの基準値が、輝度Ｙ２および色度ｘ２，ｙ２として記憶されている。マイクロコンピュータ８１は、この輝度の基準値（Ｙ２）および色度の基準値（ｘ２，ｙ２）を取得する。例えば、９３００Ｋの白色の基準値である場合、輝度の基準値としてＹ＝２００、色度の基準値として、（ｘ２，ｙ２）＝（０．２８３，ｙ＝０．２９８）が取得される。
【００５４】
ステップＳ６において、マイクロコンピュータ８１は、輝度Ｙ１＝Ｙ２、色度ｘ１＝ｘ２、かつ、ｙ１＝ｙ２であるか否かを判定する。すなわち、カラーセンサ８０により測光された輝度（Ｙ１）および色度（ｘ１，ｙ１）が、輝度の基準値（Ｙ２）および色度の基準値（ｘ２，ｙ２）と等しいか否かが判定される。なお、実際には、輝度の基準値Ｙ２および基準値ｘ２，ｙ２は１つの値ではなく、その値に範囲がある（例えば、±０．０１の範囲がある）ので、その範囲内（基準値により定められる範囲）に検出された輝度（Ｙ１）と色度（ｘ１，ｙ１）があるか否かが判定される。
【００５５】
ステップＳ７において、Ｙ１＝Ｙ２、ｘ１＝ｘ２、かつ、ｙ１＝ｙ２でない（実際の測定値が基準値により定められる範囲にない）と判定された場合、ステップＳ８において、マイクロコンピュータ８１は、Ｙ１＝Ｙ２、ｘ１＝ｘ２、かつ、ｙ１＝ｙ２となるように、輝度と色度を調整し、その値をビデオゲインコントローラ８２に出力する。
【００５６】
ステップＳ９において、ビデオゲインコントローラ８２は、マイクロコンピュータ８１から供給された調整された輝度と色度に基づいて、ゲインを調整する調整信号を駆動部４３に供給する。具体的には、ステップＳ６で判定される基準値がＹ＝２００±１，ｘ＝０．２８３±０．０１，ｙ＝０．２９８±０．０１であり、測光された値がＹ＝２００，ｘ＝０．３０００，ｙ＝０．３１９である場合、ビデオゲインコントローラ８２は、色度ｘ，ｙの値をそれぞれ約０．０１下げるようなゲインを調整する調整信号（輝度と色度の調整信号（いまの例の場合、色度の調整信号））を生成し、駆動部４３に供給する。
【００５７】
ステップＳ１０において、プラズマディスプレイ１−１の駆動部４３は、ゲインが調整されたビデオ信号（調整信号に基づくビデオ信号）を、PDP３１に表示させる。PDP３１は、この指令に基づいて、調整された輝度と色度で画像を表示する。
【００５８】
ステップＳ７においてＹ１＝Ｙ２，ｘ１＝ｘ２、かつ、ｙ１＝ｙ２である（すなわち、測光された値が基準値の範囲にある）と判定された場合、または、ステップＳ１０の処理の後、ステップＳ１１において、マイクロコンピュータ８１は、再検査するか否かを判定し（ユーザにより、操作部８４または受光部８５に対して、再検査の指令が入力されたか否かを判定し）、再検査すると判定された場合、ステップＳ２に戻り、それ以降の処理が繰り返される。ステップＳ１１において、再検査しないと判定された場合、処理は終了される。
【００５９】
図３および図４の処理により、PDP３１に装着される調整部７０により、PDP３１の輝度と色度が測光され、予め設定されている基準値に合うようにPDP３１の輝度と色度が調整される。
【００６０】
なお、図３および図４の例では、所定の色を白色としたが、Ｒ，Ｇ，Ｂそれぞれの色を表示させ、調整するようにしてもよい。
【００６１】
また、調整部７０は、ネットワークを介して、他の調整装置と情報を授受することができる。図５は、調整部７０をネットワーク１０１に接続した場合の処理を説明する図である。
【００６２】
調整部７０−１およびPDP３１−１が設けられているプラズマディスプレイ１−１、並びに、調整部７０−２およびPDP３１−２が設けられているプラズマディスプレイ１−２は、上述した調整部７０およびPDP３１が設けられているプラズマディスプレイ１と同様の構成である。調整部７０−１および調整部７０−２は、それぞれネットワーク１０１に接続されている。また、ネットワーク１０１には、パーソナルコンピュータ１０２、および外部記憶装置１０３が接続されている。なお、調整部７０−１と調整部７０−２を個々に区別する必要がない場合、単に調整部７０と称し、PDP３１−１とPDP３１−２を個々に区別する必要がない場合、単にPDP３１と称する。そして、以下においては、図２のプラズマディスプレイ１の構成は、プラズマディスプレイ１−１とプラズマディスプレイ１−２の構成としても引用する。すなわち、図２の調整部７０の構成は、調整部７０−１と調整部７０−２の構成としても引用する。
【００６３】
パーソナルコンピュータ１０２は、調整部７０と情報を授受する。外部記憶装置１０３は、例えば、調整部７０−１および調整部７０−２に設定されている基準値（輝度と色度の基準値）を記憶する。
【００６４】
図６は、図５のパーソナルコンピュータ１０２の構成例を示すブロック図である。
【００６５】
CPU（Central Processing Unit）２０１は、ROM(Read Only Memory)２０２に記憶されているプログラム、または、記憶部２０８からRAM(Random Access Memory)２０３にロードされたプログラムに従って各種の処理を実行する。RAM２０３にはまた、CPU２０１が各種の処理を実行する上において必要なデータなどが適宜記憶される。
【００６６】
CPU２０１、ROM２０２、およびRAM２０３は、内部バス２０４を介して相互に接続されている。この内部バス２０４にはまた、入出力インターフェース２０５も接続されている。
【００６７】
入出力インターフェース２０５には、キーボード、マウスなどよりなる入力部２０６、CRT，LCD（Liquid Crystal Display）などよりなるディスプレイ、スピーカなどよりなる出力部２０７、ハードディスクなどより構成される記憶部２０８、モデム、ターミナルアダプタなどより構成される通信部２０９が接続されている。通信部２０９は、電話回線やCATVを含む各種のネットワークを介しての通信処理を行なう。
【００６８】
入出力インターフェース２０５にはまた、必要に応じてドライブ２１０が接続され、磁気ディスク、光ディスク、光磁気ディスク、あるいは半導体メモリなどによりなるリムーバブルメディア２２１が適宜装着され、それから読み出されたコンピュータプログラムが、必要に応じて記憶部２０８にインストールされる。
【００６９】
次に、図７のフローチャートを参照して、プラズマディスプレイ１における他のプラズマディスプレイへの表示調整処理の指令処理を説明する。なお、ここでは、この処理を実行するプラズマディスプレイをプラズマディスプレイ１−１とし、他のプラズマディスプレイをプラズマディスプレイ１−２とする。
【００７０】
ステップＳ５１において、調整部７０−１のマイクロコンピュータ８１は、他のプラズマディスプレイ１−２（プラズマディスプレイ１−２の調整部７０−２）への表示の調整（の開始）が指令されたか否かを判定し、指令されたと判定されるまで待機する。調整部７０−１のマイクロコンピュータ８１は、操作部８４が、ユーザから他のプラズマディスプレイ１−２（調整部７０−２）への表示調整処理を開始する指令を受けた場合、または、受光部８５が、ユーザからの他のプラズマディスプレイ１−２（調整部７０−２）への表示調整処理を開始する指令に対応する赤外線信号を受光したとき、他のプラズマディスプレイ１−２（調整部７０−２）への表示調整処理（の開始）が指令されたと判定する。
【００７１】
ステップＳ５１において、他のプラズマディスプレイ１−２（調整部７０−２）への表示調整処理が指令されたと判定された場合、ステップＳ５２において、調整部７０−１のマイクロコンピュータ８１は、他のプラズマディスプレイ１−２の調整部７０−２に対して、表示の調整処理を開始する指令に対応する信号（表示調整処理の開始信号）を生成し、通信部８６に送信する。
【００７２】
ステップＳ５３において、通信部８６は、ネットワーク１０１を介して、表示調整処理を開始する指令に対応する信号を他のプラズマディスプレイ１−２の調整部７０−２に送信し、処理を終了する。
【００７３】
図７の処理により、調整部７０−１は、他の調整部７０−２に、表示調整処理を開始させる指令を送信することができる。すなわち、他の調整部７０−２は、自分自身の操作部８４または受光部８５を介して、表示の調整処理の開始を受け付けるだけでなく、調整部７０−１から、表示の調整処理の開始を受け付けることができる。これにより、他のプラズマディスプレイ１−２に表示調整処理を指令することができる。
【００７４】
この指令（表示の調整処理の開始の指令）を受け取った他のプラズマディスプレイ１−２の調整部７０−２は、上述した図３および図４のフローチャートと同様の処理を実行する。ただし、図３のステップＳ１では、操作部８４または受光部８５を介して、ユーザから表示調整処理の開始が指令されているが、この例の場合、他のプラズマディスプレイ１−２の調整部７０−２は、調整部７０−１から、通信部８６を介して、表示調整処理の開始が指令される。
【００７５】
なお、図７の処理では、調整部７０−１が、表示調整処理の開始を指令する信号のみを送信するようにしたが、この他に、調整部７０−１に設定されている基準値（輝度と色度の基準値）を送信するようにしてもよい。また、所定の空間に複数のプラズマディスプレイが設けられている場合には、それぞれのプラズマディスプレイにＩＤを付すことにより、表示調整処理の指令を送信するプラズマディスプレイを特定するようにしてもよい。この場合の処理の例を、図８のフローチャートを参照して説明する。なお、ここでは、処理を実行するプラズマディスプレイをプラズマディスプレイ１−１（調整部７０−１）とし、他のプラズマディスプレイをプラズマディスプレイ１−２（調整部７０−２）とする。
【００７６】
ステップＳ１０１において、調整部７０−１のマイクロコンピュータ８１は、他のプラズマディスプレイ１−２（調整部７０−２）への表示の調整（の開始）が指令されたか否かを判定し、指令されたと判定されるまで待機する。調整部７０−１のマイクロコンピュータ８１は、操作部８４が、ユーザから他のプラズマディスプレイ１−２（調整部７０−２）への表示調整処理を開始する指令を受けた場合、または、受光部８５が、ユーザからの他のプラズマディスプレイ１−２（調整部７０−２）への表示調整処理を開始する指令に対応する赤外線信号を受光したとき、他のプラズマディスプレイ１−２（調整部７０−２）への表示調整処理（の開始）が指令されたと判定する。
【００７７】
ステップＳ１０１において、他のプラズマディスプレイ１−２（調整部７０−２）への表示調整処理が指令されたと判定された場合、ステップＳ１０２において、調整部７０−１の操作部８４（または受光部８５）は、ユーザから指令される、表示制御処理の開始の指令を送信する他のプラズマディスプレイのＩＤを取得する。いまの例の場合、プラズマディスプレイ１−２（調整部７０−２）を指定するＩＤが取得される。
【００７８】
ステップＳ１０３において、マイクロコンピュータ８１は、EEPROM８３に記憶されている基準値（輝度の基準値と色度の基準値）を送信するか否かを判定する。具体的には、操作部８４または受光部８５に、ユーザから基準値を送信する指令が入力されたか否かが判定される。基準値を送信すると判定された場合、ステップＳ１０４において、マイクロコンピュータ８１は、EEPROM８３に記憶されている基準値を読み出し、この基準値とともに、表示調整処理の開始を指令する信号、およびプラズマディスプレイ１−２のＩＤを、通信部８６に送信する。
【００７９】
ステップＳ１０５において、通信部８６は、対応するＩＤのプラズマディスプレイ１−２（調整部７０−２）に、基準値と表示調整処理の開始を指令する信号を、ネットワーク１０１を介して他のプラズマディスプレイ１−２の調整部７０−２に送信する。
【００８０】
一方、ステップＳ１０３において、基準値を送信しないと判定された場合、ステップＳ１０６において、マイクロコンピュータ８１は、表示調整処理の開始を指令する信号と他のプラズマディスプレイ１−２のＩＤを、通信部８６に送信する。
【００８１】
通信部８６は、ステップＳ１０７において、対応するＩＤのプラズマディスプレイ１−２の調整部７０−２に、表示調整処理の開始を指令する信号を、ネットワーク１０１を介して送信する。すなわち、ステップＳ１０５の処理では、基準値が送信されたが、ステップＳ１０７の処理では、基準値が送信されない。
【００８２】
ステップＳ１０５の処理の後、またはステップＳ１０７の処理の後、処理は終了される。
【００８３】
図８の処理により、他のプラズマディスプレイを特定するＩＤを入力するようにしたので、所望のプラズマディスプレイの調整部に、表示調整処理の開始を指令することができる。また、調整部７０に設定される基準値を、他の調整部に送信することができるので、他の調整部との間で、同じ基準値を設定することができる。
【００８４】
次に、図８の処理による表示調整処理を開始する指令を受け取った他のプラズマディスプレイ１−２における処理を、図９および図１０のフローチャートを参照して説明する。この処理は、図８のステップＳ１０３でYESと判定された場合に、プラズマディスプレイ１−１の調整部７０−１より送信される基準値と表示の調整処理の開始の指令を受信したときのプラズマディスプレイ１−２（調整部７０−２）における処理である。なお、図８のステップＳ１０３でＮＯと判定された場合のプラズマディスプレイ１−１（調整部７０−１）に対応する他のプラズマディスプレイ１−２（調整部７０−２）の処理は、上述した図３のフローチャートと同様であるので省略する。ただし、図３のステップＳ１で受け付けられる指令は、プラズマディスプレイ１−１の調整部７０−１から送信された指令であり、この処理を実行する機器が、プラズマディスプレイ１−２である点が異なっている。なお、いまの例では、この処理を実行するプラズマディスプレイをプラズマディスプレイ１−２とし、他のプラズマディスプレイをプラズマディスプレイ１−１とする。
【００８５】
ステップＳ１５１において、プラズマディスプレイ１−２の調整部７０−２の通信部８６は、ネットワーク１０１を介して、他の調整部７０−１（の通信部８６）から送信されてきた表示調整処理の開始の指令、および基準値（輝度と色度の基準値）を受信する（図８のステップＳ１０５に対応する処理）。
【００８６】
ステップＳ１５２において、プラズマディスプレイ１−２の駆動部４３（駆動部４３−１および駆動部４３−２）は、PDP３１に所定の色（例えば、白色）を表示させる。
【００８７】
ステップＳ１５３において、調整部７０−２のマイクロコンピュータ８１は、カラーセンサ８０に輝度と色度の測光を指令する。このとき、PDP３１−２の前面には、一面に白色の画像が表示されている。
【００８８】
ステップＳ１５４において、調整部７０−２のカラーセンサ８０は、輝度と色度を測光する。いま、PDP３１−２の前面には、一面に白色の画像が表示されているので、カラーセンサ８０は、前面に表示された白色の画像に対する、背面の光（背面まで漏れてきた光）の輝度Ｙと色度ｘ,ｙを測光する。カラーセンサ８０による測光の詳細は上述したので省略する。
【００８９】
ステップＳ１５５において、調整部７０−２のマイクロコンピュータ８１は、カラーセンサ８０から輝度Ｙ１および色度ｘ１，ｙ１を取得する。すなわち、カラーセンサ８０により（ステップＳ１５４の処理で）測定された輝度Ｙ、および色度ｘ,ｙは、輝度Ｙ１および色度ｘ１,ｙ１として、マイクロコンピュータ８１に取得される。
【００９０】
ステップＳ１５６において、調整部７０−２のマイクロコンピュータ８１は、ステップＳ１５１で受信された（他のプラズマディスプレイ１−１の調整部７０−１から受信された）基準値（輝度Ｙ２、および色度ｘ２，ｙ２）を取得する。この基準値は、調整部７０−１のEEPROM８３に記憶されていた、調整部７０−１のための基準値である。すなわち、調整部７０−２のEEPROM８３には、この輝度の基準値（Ｙ２）および色度の基準値（ｘ２，ｙ２）とは異なる調整部７０−２のための基準値（例えば、輝度の基準値Ｙ３、および色度の基準値ｘ３，ｙ３）が記憶されている。いまの例の場合、調整部７０−１の輝度の基準値として、Ｙ＝２００、色度の基準値として、（ｘ２，ｙ２）＝（０．２８３，ｙ＝０．２９８）が取得される。
【００９１】
ステップＳ１５７において、調整部７０−２のマイクロコンピュータ８１は、輝度Ｙ１＝Ｙ２、色度ｘ１＝ｘ２、かつ、ｙ１＝ｙ２であるか（検出値が基準値により定められた範囲にあるか）否かを判定する。すなわち、カラーセンサ８０により測光された輝度（Ｙ１）および色度（ｘ１，ｙ１）が、他の調整部７０−１に設定されていた輝度の基準値（Ｙ２）および色度の基準値（ｘ２，ｙ２）と等しいか否かが判定される。なお、実際には、輝度の基準値Ｙ２および基準値ｘ２，ｙ２は１つの値ではなく、その値に範囲がある（例えば、±０．０１の範囲がある）ので、その範囲内（基準値により定められた範囲）に輝度（Ｙ１）と色度（ｘ１，ｙ１）があるか否かが判定される。
【００９２】
ステップＳ１５７において、Ｙ１＝Ｙ２、ｘ１＝ｘ２、かつ、ｙ１＝ｙ２でない（実際の測定値が調整部７０−１から送信されてきた基準値の範囲にない）と判定された場合、ステップＳ１５８において、調整部７０−２のマイクロコンピュータ８１は、Ｙ１＝Ｙ２、ｘ１＝ｘ２、かつ、ｙ１＝ｙ２となるように、輝度と色度を調整し、その値をビデオゲインコントローラ８２に出力する。
【００９３】
ステップＳ１５９において、調整部７０−２のビデオゲインコントローラ８２は、マイクロコンピュータ８１から供給された調整された輝度と色度の値に基づいて、ゲインを調整する調整信号を駆動部４３に供給する。具体的には、ステップＳ１５７で判定される基準値がＹ＝２００±１，ｘ＝０．２８３±０．０１，ｙ＝０．２９８±０．０１であり、測光された値がＹ＝２０５，ｘ＝０．２８４，ｙ＝０．２９９であった場合、ビデオゲインコントローラ８２は、Ｙの値を約４下げるようなゲインを調整する調整信号（輝度と色度の調整信号（いまの例の場合、輝度の調整信号））を生成し、駆動部４３に供給する。
【００９４】
ステップＳ１６０において、プラズマディスプレイ１−２の駆動部４３は、ゲインが調整されたビデオ信号（調整信号に基づくビデオ信号）をPDP３１−２に表示させる。PDP３１−２は、この指令に基づいて、調整された輝度と色度で画像を表示する。
【００９５】
ステップＳ１５７においてＹ１＝Ｙ２，ｘ１＝ｘ２、かつ、ｙ１＝ｙ２である（すなわち、測光された値が基準値の範囲にある）と判定された場合、または、ステップＳ１６０の処理の後、ステップＳ１６１において、調整部７０−２のマイクロコンピュータ８１は、再検査するか否かを判定し（ユーザにより、操作部８４または受光部８５に対して、再検査の指令が入力されたか、または、他の調整部７０−１から表示調整処理の指令が送信されてきたか否かを判定し）、再検査すると判定された場合、ステップＳ１５２に戻り、それ以降の処理が繰り返される。ステップＳ１６１において、再検査しないと判定された場合、処理は終了される。
【００９６】
図９および図１０の処理により、他のプラズマディスプレイ１−１の調整部７０−１から送信されてきた表示調整処理の開始の指令および基準値に基づいて、プラズマディスプレイ１−２のPDP３１−２の輝度と色度が調整される。すなわち、他の調整部７０−１に設定されている基準値と、自分自身（調整部７０−２）の基準値が揃えられ、もって、この２台のPDP３１−１とPDP３１−２の輝度および色度を一致させることができる。
【００９７】
なお、図８の処理（ステップＳ１０４およびステップＳ１０５）では、調整部７０−１が、基準値とともに表示制御処理を開始させる指令を送信するようにしたが、単に、基準値だけを送信するようにしてもよい。この基準値の授受を説明する処理を、図１１と図１２を参照して説明する。
【００９８】
最初に、図１１のフローチャートを参照して、プラズマディスプレイ１−１の調整部７０−１における基準値送信処理を説明する。
【００９９】
ステップＳ２０１において、調整部７０−１のマイクロコンピュータ８１は、ユーザにより基準値の送信が指令されたか否かを判定し、基準値の送信が指令されたと判定されるまで処理は待機される。具体的には、操作部８４に、ユーザによる基準値の送信の指令が入力されたか、または、受光部８５に、基準値の送信の指令に対応する指令に基づく赤外線信号が受信されたか否かが判定される。また、このとき、基準値の送信の指令とともに、送信する機器（例えば、プラズマディスプレイ１−２の調整部７０−２）が指定される。
【０１００】
ステップＳ２０１において、基準値の送信が指令されたと判定された場合、ステップＳ２０２において、マイクロコンピュータ８１は、EEPROM８３から輝度の基準値Ｙ２および色度の基準値ｘ２，ｙ２（EEPROM８３に予め記憶されている調整部７０−１のための基準値）を取得し、通信部８６に供給する。
【０１０１】
ステップＳ２０３において、通信部８６は、ステップＳ２０１で指定された機器（いまの例の場合、プラズマディスプレイ１−２の調整部７０−２）に、ステップＳ２０２の処理で取得された輝度の基準値Ｙ２および色度の基準値ｘ２，ｙ２を、ネットワーク１０１を介して送信する。
【０１０２】
次に、図１２のフローチャートを参照して、図１１のプラズマディスプレイ１−１の調整部７０−１の処理に対応する処理を説明する。なお、この処理を実行するのは、プラズマディスプレイ１−２の調整部７０−２であってもよいし、パーソナルコンピュータ１０２、または外部記憶装置１０３であってもよい。いまの例の場合、プラズマディスプレイ１−２の調整部７０−２が実行する処理として説明する。
【０１０３】
ステップＳ２５１において、調整部７０−２のマイクロコンピュータ８１は、調整部７０−１から基準値が送信されてきたか否かを判定する。具体的には、調整部７０−２の通信部８６に、ネットワーク１０１を介して調整部７０−１から基準値が送信されてきたか否かが判定される。送信されてこないと判定された場合、処理は待機される。
【０１０４】
ステップＳ２５１において、基準値が送信されてきたと判定された場合、ステップＳ２５２において、調整部７０−２のマイクロコンピュータ８１は、基準値を送信してきた調整部７０−１のＩＤと基準値を対応付けて、EEPROM８３に記憶させ、処理を終了する。
【０１０５】
図１２の処理により、他のプラズマディスプレイ１−１（調整部７０−１）の基準値が受信され、他のプラズマディスプレイ１−１（調整部７０−１）のＩＤとともに記憶される。なお、この処理は、上述したように、パーソナルコンピュータ１０２や外部記憶装置１０３により実行されてもよい。この場合、パーソナルコンピュータ１０２（パーソナルコンピュータ１０２の記憶部２０８）または外部記憶装置１０３は、プラズマディスプレイ１−１のＩＤとともに、基準値を記憶する。この処理が複数の調整部７０に対して実行されることにより、パーソナルコンピュータ１０２（パーソナルコンピュータ１０２の記憶部２０８）または外部記憶装置１０３は、複数のプラズマディスプレイのＩＤと基準値を記憶することができる。
【０１０６】
以上の処理により、本発明の第１の実施の形態によれば、調整部７０を、PDP３１の外部に装着することにより、PDP３１の輝度と色度を測定し、調整することができる。また、複数の調整部７０をネットワーク１０１に接続するようにしたので、複数のPDP３１の輝度と色度の調整を、迅速に、かつ容易に行なうことができる。
【０１０７】
さらに、調整部７０（例えば、調整部７０−１）に設定されている基準値を他の調整部７０（例えば、調整部７０−２）に送信することができるので、複数の調整部７０に、同じ輝度と色度の基準値を持たせるようにすることができる。
【０１０８】
また、図７や図８の処理では、プラズマディスプレイ１−１の調整部７０−１が、他のプラズマディスプレイ１−２の調整部７０−２に、表示制御処理の開始の指令を送信するようにしたが、パーソナルコンピュータ１０２が、他のプラズマディスプレイ１−２の調整部７０−２に、この指令を送信するようにしてもよい。また、パーソナルコンピュータ１０２の記憶部２０８が、複数の調整部７０に設定されている基準値を記憶している場合であって、複数のプラズマディスプレイ１の調整部７０に表示制御処理の開始の指令を送信するとき、記憶部２０８に記憶されている基準値の中から任意の基準値を１つ（または、複数の基準値の平均値を）読み出し、これを複数のプラズマディスプレイ１の調整部７０に送信するようにしてもよい。さらに、外部記憶装置１０３に複数の調整部７０に対応する基準値が記憶されていた場合、パーソナルコンピュータ１０２は、表示制御処理の開始の指令とともに、外部記憶装置１０３から読み出した１つの任意の基準値（または、複数の基準値の平均値）を、複数のプラズマディスプレイ１の調整部７０に送信するようにしてもよい。また、ユーザが、複数の基準値の中から設定したい基準値を選択するようにしてもよい。
【０１０９】
このようにすることで、プラズマディスプレイ１の調整部７０の近くにユーザがいなくとも、遠隔地にあるパーソナルコンピュータ１０２で、PDP３１の輝度と色度を調整することができる。
【０１１０】
また、複数のカラーセンサ８０により検出された輝度と色度のばらつき（複数のPDP３１の輝度と色度のばらつき）を確認し、所望のPDP３１の輝度と色度に合わせるように単色（Ｒ，Ｇ，Ｂそれぞれの色の成分）を調整するようにしてもよい。この場合、ユーザは、所望のプラズマディスプレイ１の調整部７０に、他のプラズマディスプレイの調整部に対して表示調整処理の指令を送信させるとともに、基準値ではなく、所望のプラズマディスプレイ１の輝度と色度を送信させるように指令すればよい。
【０１１１】
さらに、調整部７０に受光部８５を設けるようにしたので、PDP３１がユーザの届かない場所にあっても、リモートコントローラ（図示せず）を用いて、遠隔操作することができる。
【０１１２】
また、それぞれのプラズマディスプレイ１にＩＤを付すようにしたので、複数のプラズマディスプレイ１（調整部７０）の中から、表示制御をしたいプラズマディスプレイ１（調整部７０）を選択することができる。
【０１１３】
さらに、各プラズマディスプレイ１に設定された基準値は、プラズマディスプレイ１のEEPROM８３に記憶されるだけでなく、ネットワーク１０１を介して、外部記憶装置１０３等に記憶されるようにしたので、ネットワーク１０１に接続される他の機器も、この基準値を取り出すことができる。
【０１１４】
なお、図１の例では、PDP３１の背面に調整部７０を装着させるようにしたが、これに限らず、図１３に示されるように、側面に設けるようにしてもよい。この場合、カラーセンサ２５２に受光させるべく、導光管２５１が設けられる。
【０１１５】
また、以上の例では、調整部７０をPDP３１に装着するようにしたが、PDP３１に限らず、薄型の表示装置（フラットパネルディスプレイ）であれば、調整部７０は、どんなものにも装着できる。
【０１１６】
さらに、以上の例では、色度を検出し、色度を調整するようにしたが、色温度を検出し、色温度を調整するようにしてもよい。
【０１１７】
また、以上の例では、輝度と色度の両方を検出し、輝度と色度の両方を調整するようにしたが、輝度と色度（色温度）のうち少なくとも一方でもよい。
【０１１８】
なお、基準値は、上述した値に限らず、ユーザや、出荷メーカにより定められる値であれば何でもよい。
【０１１９】
また、調整部７５は、熱伝導板４２に必ずしも装着されなくとも、輝度または色度が検出できる場所であれば、どこでもよい。
【０１２０】
次に、図１４乃至図２６を参照して、本発明の第２の実施の形態を説明する。
【０１２１】
図１４は、本発明の第２の実施の形態のプラズマディスプレイ３００の構成例を説明する図である。
【０１２２】
このプラズマディスプレイ３００においては、上述した図１と同様に、PDP３１のフレームシャーシ３３に、複数の固定ボス４１およびPDP３１の非表示部（有効表示画面領域外）を含むPDP３１に対応した環状の熱伝導板４２が設けられている。固定ボス４１は、駆動部４３−１，４３−２、および調整部３１０を熱伝導板４２に取り付けるためのものであり、駆動部４３−１，４３−２、および調整部７０のそれぞれに対して４個ずつ設けられている（図中では、１個ずつ隠れている）。駆動部４３−１および４３−２は、PDP３１と電気的に接続されており、調整部３１０は、駆動部４３−１および４３−２と電気的に接続されている。すなわち、図１４の例では、調整部３１０は、PDP３１の有効表示画面領域外に設置されている。
【０１２３】
駆動部４３−１および４３−２は、PDP３１の発光駆動およびその制御を行なう。また、調整部３１０は、PDP３１の背面から漏れる光を検出するとともに、検出した光の輝度と色度に基づいて、輝度と色度を調整する調整信号を生成し、駆動部４３−１および駆動部４３−２に調整信号を供給する。なお、固定ボス４１と熱伝導板４２は、一体化されていてもよい。
【０１２４】
調整部３１０は、PDP３１の有効表示画面領域外（熱伝導板４２が設けられている範囲に対するPDP３１）の光を検出し、検出した光の輝度と色度に基づいて、PDP３１の輝度と色度を調整する。前面から見た場合、PDP３１の有効表示画面領域に、画像が表示され、有効表示画面領域外（熱伝導板４２が設けられている範囲）には、画像は表示されない。
【０１２５】
図１５は、図１４のプラズマディスプレイ３００の機能的構成例を示すブロック図である。
【０１２６】
プラズマディスプレイ３００には、PDP３１、駆動部４３（駆動部４３−１および駆動部４３−２）、並びに調整部３１０が設けられている。
【０１２７】
調整部３１０には、輝度検出部３５０、比較部３６０、参照レベル記憶部３７０、テーブル記憶部３８０、γテーブル調整部３９０、およびビデオゲインコントローラ４００が設けられている。
【０１２８】
輝度検出部３５０は、例えば、CCD（Charge Coupled Device）により構成されており、ＲＧＢの表色系におけるそれぞれの色（Ｒ，Ｇ，Ｂの３色）に対応する光の強さ（輝度）から、３色それぞれのＣ／Ｏ（Cut Off（カットオフ））側とＨ／Ｒ（High Right（ハイライト））側の輝度レベル（輝度値）を検出する。すなわち、Ｒ（赤色）成分のＣ／Ｏ側の輝度レベル（輝度値）およびＨ／Ｒ側の輝度レベル（輝度値）、Ｇ（緑色）成分のＣ／Ｏ側の輝度レベル（輝度値）およびＨ／Ｒ側の輝度レベル（輝度値）、並びにＢ（青色）成分のＣ／Ｏ側の輝度レベル（輝度値）およびＨ／Ｒ側の輝度レベル（輝度値）が検出される。輝度検出部３５０は、検出したそれぞれの色に対応するＣ／Ｏ側およびＨ／Ｒ側の輝度レベル（輝度値）を比較部３６０に出力する。
【０１２９】
比較部３６０は、輝度検出部３５０から供給された値と、参照レベル記憶部３７０に記憶されている参照レベル（輝度の参照レベル）を比較し、その比較結果をγテーブル調整部３９０に出力する。参照レベル記憶部３７０には、製造時に調整されたＲ成分のＣ／Ｏ側の参照レベル（参照輝度値）およびＨ／Ｒ側の参照レベル（参照輝度値）、Ｇ成分のＣ／Ｏ側の参照レベル（参照輝度値）およびＨ／Ｒ側の参照レベル（参照輝度値）、並びにＢ成分のＣ／Ｏ側の参照レベル（参照輝度値）およびＨ／Ｒ側の参照レベル（参照輝度値）が記憶されている。すなわち、比較部３６０は、Ｒ成分のＣ／Ｏ側の参照レベルおよびＨ／Ｒ側の参照レベル、Ｇ成分のＣ／Ｏ側の参照レベルおよびＨ／Ｒ側の参照レベル、並びにＢ成分のＣ／Ｏ側の参照レベルおよびＨ／Ｒ側の参照レベルと、検出されたＲ成分のＣ／Ｏ側の輝度レベルおよびＨ／Ｒ側の輝度レベル、Ｇ成分のＣ／Ｏ側の輝度レベルおよびＨ／Ｒ側の輝度レベル、並びにＢ成分のＣ／Ｏ側の輝度レベルおよびＨ／Ｒ側の輝度レベルのそれぞれを比較し、比較結果を出力する。
【０１３０】
γテーブル調整部３９０は、比較部３６０から供給された比較結果に基づいて、テーブル記憶部３８０に記憶されているＲ，Ｇ，Ｂのそれぞれ成分のγテーブルを調整し、その結果をビデオゲインコントローラ４００に出力する。ビデオゲインコントローラ４００は、調整されたγテーブルに基づいて、ビデオゲイン（利得）を調整する調整信号を生成し、これを駆動部４３−１および４３−２に供給する。
【０１３１】
駆動部４３−１および４３−２は、調整信号により調整されたビデオゲインで、ビデオ信号（図示せぬビデオ端子から供給されるビデオ信号）に基づく映像を表示させるようにPDP３１を駆動する。
【０１３２】
図１６は、図１５のプラズマディスプレイ３００の詳細な機能的構成を示すブロック図である。
【０１３３】
図１５と図１６を比較すると明らかなように、輝度検出部３５０（図１５）は、Ｒ検出部３５１、Ｇ検出部３５２、およびＢ検出部３５３（図１６）により構成され、比較部３６０（図１５）は、６個の比較部３６１乃至３６６（図１６）により構成され、参照レベル記憶部３７０（図１５）は、Ｒ参照レベル記憶部３７１、Ｇ参照レベル記憶部３７２、およびＢ参照レベル記憶部３７３（図１６）により構成され、テーブル記憶部３８０（図１５）は、Ｒテーブル記憶部３８１、Ｇテーブル記憶部３８２、およびＢテーブル記憶部３８３（図１６）により構成され、γテーブル調整部３９０（図１５）は、Ｒ−γテーブル調整部３９１、Ｇ−γテーブル調整部３９２、およびＢ−γテーブル調整部３９３（図１６）により構成されている。
【０１３４】
Ｒ検出部３５１、Ｇ検出部３５２、およびＢ検出部３５３は、輝度検出部３６０で説明したように、それぞれCCDにより構成されている。Ｒ検出部３５１は、Ｒ（赤色）の成分に対応する光の強さ（輝度）に基づいて、Ｃ／Ｏ側の輝度レベルおよびＨ／Ｒ側の輝度レベルを検出し、Ｃ／Ｏ側の輝度レベルを比較部３６１に出力するとともに、Ｈ／Ｒ側の輝度レベルを比較部３６２に出力する。Ｇ検出部３５２は、Ｇ（緑色）の成分に対応する光の強さ（輝度）に基づいて、Ｃ／Ｏ側の輝度レベルおよびＨ／Ｒ側の輝度レベルを検出し、Ｃ／Ｏ側の輝度レベルを比較部３６３に出力するとともに、Ｈ／Ｒ側の輝度レベルを比較部３６４に出力する。Ｂ検出部３５３は、Ｂ（青色）の成分に対応する光の強さ（輝度）に基づいて、Ｃ／Ｏ側の輝度レベルおよびＨ／Ｒ側の輝度レベルを検出し、Ｃ／Ｏ側の輝度レベルを比較部３６５に出力するとともに、Ｈ／Ｒ側の輝度レベルを比較部３６６に出力する。
【０１３５】
Ｒ参照レベル記憶部３７１は、Ｒの成分のＣ／Ｏ側の輝度の参照レベル（参照値）およびＨ／Ｒ側の輝度の参照レベル（参照値）を記憶している。また、Ｇ参照レベル記憶部３７２は、Ｇの成分のＣ／Ｏ側の輝度の参照レベルおよびＨ／Ｒ側の輝度の参照レベルを記憶している。さらに、Ｂ参照レベル記憶部３７３は、Ｂの成分のＣ／Ｏ側の輝度の参照レベルおよびＨ／Ｒ側の輝度の参照レベルを記憶している。
【０１３６】
比較部３６１は、Ｒ参照レベル記憶部３７１から、Ｒ成分のＣ／Ｏ側の輝度の参照レベルを取得し、これと、Ｒ検出部３５１から供給されたＣ／Ｏ側の輝度レベルとを比較して、比較結果をＲ−γテーブル調整部３９１に出力する。比較部３６２は、Ｒ参照レベル記憶部３７１から、Ｒ成分のＨ／Ｒ側の参照レベルを取得し、これと、Ｒ検出部３５１から供給されたＨ／Ｒ側の輝度レベルとを比較して、比較結果をＲ−γテーブル調整部３９１に出力する。
【０１３７】
比較部３６３は、Ｇ参照レベル記憶部３７２から、Ｇ成分のＣ／Ｏ側の輝度の参照レベルを取得し、これと、Ｇ検出部３５２から供給されたＣ／Ｏ側の輝度レベルとを比較して、比較結果をＧ−γテーブル調整部３９２に出力する。比較部３６４は、Ｇ参照レベル記憶部３７２から、Ｇ成分のＨ／Ｒ側の参照レベルを取得し、これと、Ｇ検出部３５２から供給されたＨ／Ｒ側の輝度レベルとを比較して、比較結果をＧ−γテーブル調整部３９２に出力する。
【０１３８】
比較部３６５は、Ｂ参照レベル記憶部３７３から、Ｂ成分のＣ／Ｏ側の輝度の参照レベルを取得し、これと、Ｂ検出部３５３から供給されたＣ／Ｏ側の輝度レベルとを比較して、比較結果をＢ−γテーブル調整部３９３に出力する。比較部３６６は、Ｂ参照レベル記憶部３７３から、Ｂ成分のＨ／Ｒ側の輝度の参照レベルを取得し、これと、Ｂ検出部３５３から供給されたＨ／Ｒ側の輝度レベルとを比較して、比較結果をＢ−γテーブル調整部３９３に出力する。
【０１３９】
Ｒテーブル記憶部３８１には、Ｒ成分のγテーブル（Ｃ／Ｏ側の輝度レベルおよびＨ／Ｒ側の輝度レベルに基づくγテーブル）（後述する図２５）が記憶されており、Ｇテーブル記憶部３８２には、Ｇ成分のγテーブル（Ｃ／Ｏ側の輝度レベルおよびＨ／Ｒ側の輝度レベルに基づくγテーブル）が記憶されており、Ｂテーブル記憶部３８３には、Ｂ成分のγテーブル（Ｃ／Ｏ側の輝度レベルおよびＨ／Ｒ側の輝度レベルに基づくテーブル）が記憶されている。
【０１４０】
Ｒ−γテーブル調整部３９１は、Ｒテーブル記憶部３８１からＲ成分のγテーブルを取得し、比較部３６１および比較部３６２から供給されてきた比較結果に基づいて、Ｒ成分のγテーブルを調整し、調整した結果をビデオゲインコントローラ４００に出力する。Ｇ−γテーブル調整部３９２は、Ｇテーブル記憶部３８１からＧ成分のγテーブルを取得し、比較部３６３および比較部３６４から供給されてきた比較結果に基づいて、Ｇ成分のγテーブルを調整し、調整した結果をビデオゲインコントローラ４００に出力する。また、Ｂ−γテーブル調整部３９３は、Ｂテーブル記憶部３８３からＢ成分のγテーブルを取得し、比較部３６５および比較部３６６から供給されてきた比較結果に基づいて、Ｂ成分のγテーブルを調整し、調整した結果をビデオゲインコントローラ４００に出力する。
【０１４１】
ビデオゲインコントローラ４００は、Ｒ−γテーブル調整部３９１から供給された調整されたＲ成分のγテーブル、Ｇ−γテーブル調整部３９２から供給されたＧ成分のγテーブル調整部、およびＢ−γテーブル調整部３９３から供給されたＢ成分のγテーブルに基づいて、Ｒ，Ｇ，Ｂそれぞれのビデオゲインを調整する調整信号を生成し、駆動部４３（駆動部４３−１および４３−２）に供給する。駆動部４３は、調整信号により調整されたビデオゲインで、ビデオ信号に基づく映像を表示させるようにPDP３１を駆動する。なお、本実施の形態では、駆動部４３が、１フレーム毎に、有効表示画面領域外に１０％の白信号と１００％の白信号をPDP３１に表示させるように駆動する。
【０１４２】
次に、図１７と図１８のフローチャートを参照して、図１５のプラズマディスプレイ３００における表示調整処理を説明する。なお、この処理は、プラズマディスプレイ３００の電源がオンされたとき開始される。
【０１４３】
ステップＳ３０１において、駆動部４３は、PDP３１の有効表示画面外に１０％の白信号を発光させる。
【０１４４】
ステップＳ３０２において、輝度検出部３５０は、輝度レベルＣ／Ｏ検出処理（Ｃ／Ｏ側の輝度レベル検出処理）を実行する。この処理の詳細を、図１９のフローチャートを参照して説明する。なお、図１９では、輝度検出部３５０（図１５）に対応するＲ検出部３５１、Ｇ検出部３５２、およびＢ検出部３５３（図１６）が実行する処理として説明する。
【０１４５】
ステップＳ４０１において、Ｒ検出部３５１は、Ｒ成分の輝度レベルＣ／Ｏ（Ｒ成分のＣ／Ｏ側の輝度レベル）を検出し、比較部３６１に出力する。いまの場合、PDP３１の有効表示画面領域外には、１０％の白信号が表示されているので、この白信号に含まれるＲ（赤色）の成分に対応する光の強さ（輝度）に基づいて、Ｃ／Ｏ側の輝度レベルが検出され、比較部３６１に出力される。
【０１４６】
ステップＳ４０２において、Ｇ検出部３５２は、Ｇ成分の輝度レベルＣ／Ｏ（Ｇ成分のＣ／Ｏ側の輝度レベル）を検出し、比較部３６３に出力する。いまの場合、PDP３１の有効表示画面領域外に表示されている１０％の白信号に含まれるＧ（緑色）の成分に対応する光の強さ（輝度）に基づいて、Ｃ／Ｏ側の輝度レベルが検出され、比較部３６３に出力される。
【０１４７】
ステップＳ４０３において、Ｂ検出部３５３は、Ｂ成分の輝度レベルＣ／Ｏ（Ｂ成分のＣ／Ｏ側の輝度レベル）を検出し、比較部３６５に出力し、処理を終了する。いまの場合、PDP３１の有効表示画面領域外に表示されている１０％の白信号に含まれるＢ（青色）の成分に対応する光の強さ（輝度）に基づいて、Ｃ／Ｏ側の輝度レベルが検出され、比較部３６５に出力される。
【０１４８】
なお、図１９の各ステップの処理は、実際には、並列的に実行される。
【０１４９】
図１９の処理の後、図１７の処理はステップＳ３０３に進む。ステップＳ３０３において、比較部３６０は、参照レベル読出し処理を実行する。この処理の詳細を、図２０のフローチャートを参照して説明する。なお、図２０では、比較部３６０（図１５）に対応する比較部３６１，比較部３６３、および比較部３６５（図１６）が実行する処理として説明する。
【０１５０】
ステップＳ４５１において、比較部３６１は、Ｒ参照レベル記憶部３７１から、Ｒの成分のＣ／Ｏ側の参照レベル（参照輝度値）を読み出す。
【０１５１】
ステップＳ４５２において、比較部３６３は、Ｇ参照レベル記憶部３７２から、Ｇの成分のＣ／Ｏ側の参照レベル（参照輝度値）を読み出す。
【０１５２】
ステップＳ４５３において、比較部３６５は、Ｂ参照レベル記憶部３７３から、Ｂの成分のＣ／Ｏ側の参照レベル（参照輝度値）を読み出し、処理を終了する。
【０１５３】
なお、図２０の各ステップの処理は、実際には、並列的に実行される。
【０１５４】
図２０の処理の後、図１７の処理はステップＳ３０４に進む。ステップＳ３０４において、比較部３６０は、比較処理を実行する。この処理の詳細を、図２１のフローチャートを参照して説明する。なお、図２１では、比較部３６０（図１５）に対応する比較部３６１，比較部３６３、および比較部３６５（図１６）が実行する処理として説明する。
【０１５５】
ステップＳ５０１において、比較部３６１は、Ｒ成分の参照レベル（図２０のステップＳ４５１で取得したＲ成分のＣ／Ｏ側の参照レベル）と、検出されたＲ成分の輝度レベル（図１９のステップＳ４０１で取得したＲ成分のＣ／Ｏ側の輝度レベル）を比較する。
【０１５６】
ステップＳ５０２において、比較部３６３は、Ｇ成分の参照レベル（図２０のステップＳ４５２で取得したＧ成分のＣ／Ｏ側の参照レベル）と、検出されたＧ成分の輝度レベル（図１９のステップＳ４０２で取得したＧ成分のＣ／Ｏ側の輝度レベル）を比較する。
【０１５７】
ステップＳ５０３において、比較部３６５は、Ｂ成分の参照レベル（図２０のステップＳ４５３で取得したＧ成分のＣ／Ｏ側の参照レベル）と、検出されたＢ成分の輝度レベル（図１９のステップＳ４０３で取得したＧ成分のＣ／Ｏ側の輝度レベル）を比較する。
【０１５８】
なお、図２１の各ステップの処理は、実際には、並列的に実行される。
【０１５９】
図２１の処理の後、図１７の処理はステップＳ３０５に進む。ステップＳ３０５において、比較部３６０は、比較結果出力処理を実行する。この処理の詳細を、図２２のフローチャートを参照して説明する。なお、図２２では、比較部３６０（図１５）に対応する比較部３６１，比較部３６３、および比較部３６５（図１６）が実行する処理として説明する。
【０１６０】
ステップＳ５５１において、比較部３６１は、図２１のステップＳ５０１で比較したＲ成分のＣ／Ｏ側の比較結果をＲ−γテーブル調整部３９１に出力する。
【０１６１】
ステップＳ５５２において、比較部３６３は、図２１のステップＳ５０２で比較したＧ成分のＣ／Ｏ側の比較結果をＧ−γテーブル調整部３９２に出力する。
【０１６２】
ステップＳ５５３において、比較部３６５は、図２１のステップＳ５０３で比較したＢ成分のＣ／Ｏ側の比較結果をＢ−γテーブル調整部３９３に出力し、処理を終了する。
【０１６３】
なお、図２２の各ステップの処理は、実際には、並列的に実行される。
【０１６４】
図２２の処理の後、図１７の処理はステップＳ３０６に進む。ステップＳ３０６において、γテーブル調整部３９０は、テーブル読出し処理を実行する。この処理の詳細を、図２３のフローチャートを参照して説明する。なお、図２３のフローチャートでは、γテーブル調整部３９０（図１５）に対応するＲ−γテーブル調整部３９１、Ｇ−γテーブル調整部３９２、およびＢ−γテーブル調整部３９３（図１６）が実行する処理として説明する。
【０１６５】
ステップＳ６０１において、Ｒ−γテーブル調整部３９１は、Ｒテーブル記憶部３８１からＲ成分のγテーブル（後述する図２５のγテーブル）を読み出す。
【０１６６】
ステップＳ６０２において、Ｇ−γテーブル調整部３９２は、Ｇテーブル記憶部３８２からＧ成分のγテーブルを読み出す。
【０１６７】
ステップＳ６０３において、Ｂ−γテーブル調整部３９３は、Ｂテーブル記憶部３８３からＢ成分のγテーブルを読み出す。
【０１６８】
なお、図２３の各ステップの処理は、実際には、並列的に実行される。
【０１６９】
図２３の処理の後、図１７の処理はステップＳ３０７に進む。ステップＳ３０７において、γテーブル調整部３９０は、γテーブル調整処理を実行する。この処理の詳細を、図２４のフローチャートを参照して説明する。なお、図２４のフローチャートでは、γテーブル調整部３９０（図１５）に対応するＲ−γテーブル調整部３９１、Ｇ−γテーブル調整部３９２、およびＢ−γテーブル調整部３９３（図１６）が実行する処理として説明する。
【０１７０】
ステップＳ６５１において、Ｒ−γテーブル調整部３９１は、図２２のステップＳ５５１で取得した比較結果（Ｒ成分のＣ／Ｏ側の参照レベルと検出されたＲ成分のＣ／Ｏ側の輝度レベルの比較結果）に基づいて、Ｒのγテーブルを調整し、調整した結果をビデオゲインコントローラ４００に出力する。この具体例を図２５を参照して説明する。
【０１７１】
図２５には、１色（Ｒ，Ｇ，Ｂの３色のうち、いずれか１色）のγテーブルが表示されている。図２５には、映像信号とγテーブルの値がそれぞれ８ビットでコントロールされる場合のγテーブルが表示されており、映像信号とγテーブル値はそれそれ０から２５５の値を取る。図２５においては、横軸は映像の階調レベルであり、縦軸は、γテーブルの値である。例えば、図２５のγテーブルをＲ成分のγテーブルとすると、Ｒ−γテーブル調整部３９１は、Ｃ／Ｏ側のＲの輝度レベルが、Ｃ／Ｏ側のＲ成分の参照レベル（参照輝度値）と同じになるように、Ｒ成分のγテーブルを調整する。
【０１７２】
ステップＳ６５２において、Ｇ−γテーブル調整部３９２は、図２２のステップＳ５５２で取得した比較結果（Ｇ成分のＣ／Ｏ側の参照レベルと検出されたＧ成分のＣ／Ｏ側の輝度レベルの比較結果）に基づいて、Ｇ成分のγテーブルを調整し、調整した結果をビデオゲインコントローラ４００に出力する。具体的には、上述した図２５に示されるように、検出されたＧ成分のＣ／Ｏ側の輝度レベルと、Ｇ成分のＣ／Ｏ側の参照レベル（輝度値）が同じになるように、Ｇ成分のγテーブルの値が調整される。
【０１７３】
ステップＳ６５３において、Ｂ−γテーブル調整部３９３は、図２２のステップＳ５５３で取得した比較結果（Ｂ成分のＣ／Ｏ側の参照レベルと検出されたＢ成分のＣ／Ｏ側の輝度レベルの比較結果）に基づいて、Ｂ成分のγテーブルを調整し、調整した結果をビデオゲインコントローラ４００に出力する。具体的には、上述した図２５に示されるように、検出されたＢ成分のＣ／Ｏ側の輝度レベルと、Ｂ成分のＣ／Ｏ側の参照レベル（輝度値）が同じになるように、Ｂ成分のγテーブルの値が調整される。
【０１７４】
なお、図２４の各ステップの処理は、実際には、並列的に実行される。
【０１７５】
図２４の処理の後、図１７の処理はステップＳ３０８に進む。ステップＳ３０８において、ビデオゲインコントローラ４００は、γテーブル調整部３９０（Ｒ−γテーブル調整部３９１、Ｇ−γテーブル調整部３９２、およびＢ−γテーブル調整部３９３）から供給されたＲ成分のγテーブル、Ｇ成分のγテーブル、およびＢ成分のγテーブルに基づいて、ゲインを調整する調整信号を生成し、駆動部４３に出力する。これによりＣ／Ｏ側の輝度レベルに対するビデオゲインが調整される。
【０１７６】
ステップＳ３０９において、駆動部４３は、１フレームが経過したか（図１７のステップＳ３０１の処理の後、１フレームが経過したか）否かを判定し、１フレームが経過するまで処理は待機される。ステップＳ３０９において、１フレームが経過したと判定された場合、ステップＳ３１０において、駆動部４３は、PDP３１の有効表示画面外に１００％の白信号を発光させる。
【０１７７】
ステップＳ３１１において、輝度検出部３５０は、輝度レベルＨ／Ｒの検出処理（Ｈ／Ｒ側の輝度レベル検出処理）を実行する。この処理の詳細を、図２６のフローチャートを参照して説明する。なお、図２６では、輝度検出部３５０（図１５）に対応するＲ検出部３５１、Ｇ検出部３５２、およびＢ検出部３５３（図１６）が実行する処理として説明する。
【０１７８】
ステップＳ７０１において、Ｒ検出部３５１は、Ｒ成分のＨ／Ｒ側の輝度レベルを検出し、比較部３６２に出力する。いまの場合、PDP３１の有効表示画面領域外には、１００％の白信号が表示されているので、この白信号に含まれるＲ（赤色）の成分に対応する光の強さ（輝度）に基づいて、Ｈ／Ｒ側の輝度レベルが検出され、比較部３６２に出力される。
【０１７９】
上述した図１９の処理では、PDP３１に１０％の白信号が表示されている（図１７のステップＳ３０１）ので、Ｒ検出部３５１は、Ｒ成分のＣ／Ｏ側の輝度レベルを検出し、図２６の処理では、PDP３１の有効表示画面領域外に１００％の白信号が表示されている（図１８のステップＳ３１０）ので、Ｒ検出部３５１は、Ｒ成分のＨ／Ｒ側の輝度レベルを検出する。すなわち、輝度検出部３５０は、１０％の白信号では、それぞれの色のＣ／Ｏ側の輝度レベルを検出することができ、１００％の白信号では、それぞれの色のＨ／Ｒ側の輝度レベルを検出することができる。
【０１８０】
ステップＳ７０２において、Ｇ検出部３５２は、Ｇ成分のＨ／Ｒ側の輝度レベルを検出し、比較部３６４に出力する。いまの場合、PDP３１の有効表示画面領域外に表示されている１００％の白信号に含まれるＧ（緑色）の成分に対応する光の強さ（輝度）に基づいて、Ｈ／Ｒ側の輝度レベルが検出され、比較部３６４に出力される。
【０１８１】
ステップＳ７０３において、Ｂ検出部３５３は、Ｂ成分のＨ／Ｒ側の輝度レベルを検出し、比較部３６６に出力する。いまの場合、PDP３１の有効表示画面領域外に表示されている１００％の白信号に含まれるＢ（青色）の成分に対応する光の強さ（輝度）に基づいて、Ｈ／Ｒ側の輝度レベルが検出され、比較部３６６に出力される。その後、処理は終了される。
【０１８２】
なお、図２６の各ステップの処理は、実際には、並列的に実行される。
【０１８３】
図２６の処理の後、図１７の処理はステップＳ３１２に進む。ステップＳ３１２において、比較部３６０は、参照レベル読出し処理を実行する。この詳細は、上述した図２０の処理と同様であるので、その説明は省略する。この処理を実行するのが、比較部３６０（図１５）に対応する比較部３６２，比較部３６４、および比較部３６６（図１６）に変更され、読み出される参照レベルがそれぞれの色（Ｒ，Ｇ，Ｂ）の成分のＨ／Ｒ側の参照レベル（Ｒ参照レベル記憶部３７１に記憶されているＲ成分のＨ／Ｒ側のＲ参照レベル、Ｇ参照レベル記憶部３７２に記憶されているＧ成分のＨ／Ｒ側の参照レベル、およびＢ参照レベル記憶部３７３に記憶されているＢ成分のＨ／Ｒ側の参照レベル）となるだけである。
【０１８４】
ステップＳ３１３において、比較部３６０は、比較処理を実行する。この処理は、上述した図２１の処理と同様であるので、その説明は省略する。ここでは、比較部３６０（図１５）に対応する比較部３６２、比較部３６４、および比較部３６６（図１６）が、検出されたＲ，Ｂ，Ｇそれぞれの成分のＨ／Ｒ側の輝度レベルと、対応するＲ，Ｇ，Ｂの成分のＨ／Ｒ側の参照レベルを比較する。
【０１８５】
ステップＳ３１４において、比較部３６０は、比較結果出力処理を実行する。この処理は、上述した図２２の処理と同様であるので、その説明は省略する。ここでは、比較部３６０（図１５）に対応する比較部３６２、比較部３６４、および比較部３６６（図１６）が、それぞれ、ステップＳ３１４で比較した比較結果を、対応するＲ−γテーブル調整部３９１、Ｇ−γテーブル調整部３９２、またはＢ−γテーブル調整部３９３に出力する。
【０１８６】
ステップＳ３１５において、γテーブル調整部３９０は、テーブル読出し処理を実行する。この処理は、上述した図２３の処理と同様であるので、その説明は省略する。ここでは、γテーブル調整部３９０（図１５）に対応するＲ−γテーブル調整部３９１、Ｇ−γテーブル調整部３９２、およびＢ−γテーブル調整部３９３（図１６）が、対応するＲテーブル記憶部３８１、Ｇテーブル記憶部３８２、およびＢテーブル記憶部３８３に記憶されているＲ成分のγテーブル、Ｇ成分のγテーブル、およびＢ成分のγテーブルを読み出す。
【０１８７】
ステップＳ３１６において、γテーブル調整部３９０は、γテーブル調整処理を実行する。この処理は、上述した図２４の処理と同様であるので、その説明は省略する。ここでは、γテーブル調整部３９０（図１５）に対応するＲ−γテーブル調整部３９１、Ｇ−γテーブル調整部３９２、およびＢ−γテーブル調整部３９３（図１６）が、ステップＳ３１３の処理で比較されたＲ，Ｇ，Ｂそれぞれの成分のＨ／Ｒ側の比較結果に基づいて、対応するＲ成分のγテーブル、Ｇ成分のγテーブル、およびＢ成分のγテーブルを調整し、調整した結果をビデオゲインコントローラ４００に出力する。具体的には、上述した図２５に示されるように、γテーブルのＨ／Ｒ側の輝度値が、Ｈ／Ｒ側の参照レベル（参照輝度値）と同じになるようにそれぞれの色のγテーブルが調整される。
【０１８８】
ステップＳ３１７において、ビデオゲインコントローラ４００は、γテーブル調整部３９０（Ｒ−γテーブル調整部３９１、Ｇ−γテーブル調整部３９２、およびＢ−γテーブル調整部３９３）から供給されたＲ成分のγテーブル、Ｇ成分のγテーブル、およびＢ成分のγテーブルに基づいて、ゲインを調整する調整信号を生成し、駆動部４３に出力する。これによりＨ／Ｒ側の輝度レベルにおけるビデオゲインが調整される。
【０１８９】
ステップＳ３１８において、輝度検出部３５０は、PDP３１の交換が必要であるか否かを判定する。具体的には、輝度検出部３５０は、PDP３１のＨ／Ｒ側の輝度レベルを検出し（ステップＳ３１１の処理と同様の処理を実行し）（いまの例の場合、１００％の白信号が表示されているので、Ｈ／Ｒ側の輝度レベルを検出し）、その結果に基づいて、PDP３１の使用か可能であるか否かを検出（判定）する。換言すると、ステップＳ３１７の処理で、ビデオゲインが調整されたにも拘わらず、PDP３１の測定輝度が、低下していると検出された場合や、色温度の測定が不可能であると検出された場合に、輝度検出部３５０は、PDP３１の交換が必要である（PDP３１が使用可能でない）と判定する。
【０１９０】
ステップＳ３１８で、PDP３１の交換が必要であると判定された場合、ステップＳ３１９において、駆動部４３は、PDP３１の有効表示画面領域に、ユーザに対してPDP３１の交換を促すメッセージを表示させる。例えば、「PDPは交換が必要だよ」等のメッセージが表示される。すなわち、駆動部４３は、PDP３１の交換を促す通知を行なう。これにより、ユーザに、PDP３１の交換が必要であること、すなわち、PDP３１が使用可能でないこと（PDP３１の寿命が切れていること）を知らせることができる。
【０１９１】
ステップＳ３１８において、PDP３１の交換が必要でないと判定された場合、またはステップＳ３１９の処理の後、ステップＳ３２０において、駆動部４３は、１フレームが経過したか（図１８のステップＳ３１０の処理の後、１フレームが経過したか）否かを判定し、１フレームが経過するまで処理は待機される。ステップＳ３２０において、１フレームが経過したと判定された場合、処理はステップＳ３０１に戻り、それ以降の処理が繰り返される。すなわち、再び、駆動部４３は、PDP３１の有効表示画面外に１００％の白信号を発光させ、１０％の白信号に基づいて、Ｃ／Ｏ側の輝度レベルの表示調整が行なわれる。
【０１９２】
図１７および図１８の処理によれば、１フレーム毎に有効表示画面領域外に１０％の白信号と１００％の白信号を表示させ、Ｒ，Ｇ，Ｂ成分のＣ／Ｏ側の輝度レベル、およびＨ／Ｒ側の輝度レベルを検出するとともに、対応する成分のＣ／Ｏ側の参照レベルおよびＨ／Ｒ側の参照レベルに基づいて、γテーブルを調整するようにしたので、色度（色温度）と輝度を一定とすることができる。
【０１９３】
なお、図１７および図１８の処理では、PDP３１の有効表示画面領域外に１００％の白信号が表示されている場合に、PDP３１の交換が必要であるか否かを判定するようにした（ステップＳ３１８）が、１０％の白信号が表示されているときに、PDP３１の交換が必要であるか否かを判定するようにしてもよい。この場合、ステップＳ３０８の処理の後に、ステップＳ３１８およびステップＳ３１９の処理が実行される。また、これらの両方（１００％の白信号の検出および１０％の白信号の検出）に基づいて、PDP３１の交換が必要であるか否かを判定するようにしてもよい。
【０１９４】
以上の処理により、本発明の第２の実施の形態によれば、１フレーム毎に有効表示画面領域外に１０％の白信号と１００％の白信号を表示させ、Ｒ，Ｇ，Ｂ成分のＣ／Ｏ側の輝度レベル、およびＨ／Ｒ側の輝度レベルを検出するとともに、対応する成分のＣ／Ｏ側の参照レベルおよびＨ／Ｒ側の参照レベルに基づいて、γテーブルを調整するようにしたので、色度（色温度）と輝度を容易に調整することができる。
【０１９５】
また、図１４に示されるような構成とすることにより、管面に外部からのセンサ（光電変換素子、すなわち輝度検出部３５０）の取り付けを必要としないプラズマディスプレイを構築することができる。
【０１９６】
さらに、PDP３１に１０％の白信号を表示させ、Ｃ／Ｏ側（BLACK側）のγテーブルの調整を行なうとともに、１００％の白信号を表示させＨ／Ｒ側のγテーブルの調整を行なうようにしたので、色度のＣ／Ｏ側（BLACK側）とＨ／Ｒ側を常に一定となるように制御することができる。
【０１９７】
また、PDP３１に入力されるRGB信号（駆動部４３からのRBG信号）は、γテーブルとRGB信号レベル（ビデオ信号）の乗算となるため、γテーブルのＣ／Ｏ側、Ｈ／Ｒ側の調整を行なうことにより、PDP３１の色度と輝度を一定とする制御を実行することができる。
【０１９８】
さらに、図１８のステップＳ３１８およびステップＳ３１９の処理に示されるように、色度の制御が不可能になったら（輝度と色度の検出結果に基づいて、色度または輝度が低下したままであった場合に）PDP３１が使用可能でないと判定するようにしたので、ユーザに的確に交換を促すことができる。なお、これに限らず、図１７のステップＳ３０２や、ステップＳ３１１において、検出された輝度レベルが、調整値の半分になったときに、PDP３１が使用可能でない（交換が必要である）と判断して、交換を促すメッセージを表示するようにしてもよい。
【０１９９】
また、定期的に、PDP３１の有効表示画面領域外に、γカーブの制御を外した最大輝度で表示させ、このときの測定輝度（輝度検出部３５０の測定輝度）が初期値の半分になったら、PDP３１が使用可能でない（交換が必要である）と判断し、交換を促すメッセージを表示するようにしてもよい。
【０２００】
従来のPDPでは、色温度（色度）の調整を行なっても、時間とともに蛍光体の劣化により、各色の蛍光体により輝度劣化のカーブも異なるため、色度も変化し、輝度も同様に劣化していたが、本発明では、CCD等からなる輝度検出部３５０を用いて、PDP３１の色度と輝度をフィードバッグし、γテーブルを調整するようにしたので、色度と輝度を一定に保つことができる。
【０２０１】
また、PDP３１の有効表示画面領域外に白信号（１０％および１００％の白信号）を表示させるようにしたので、PDP３１の有効表示画面領域には所望の映像を表示することができるとともに、常に、表示調整を行なうことができる。
【０２０２】
なお、以上の例では、調整部３１０をPDP３１に装着するようにしたが、PDP３１に限らず、薄型の表示装置（フラットパネルディスプレイ）であれば、調整部３１０は、どんなものにも装着できる。
【０２０３】
また、以上の例では、色度を検出し、色度を調整するようにしたが、色温度を検出し、色温度を調整するようにしてもよい。
【０２０４】
さらに、以上の例では、輝度と色度の両方を検出し、輝度と色度の両方を調整するようにしたが、輝度と色度（色温度）のうち少なくとも一方でもよい。
【０２０５】
また、調整部３１０は、熱伝導板４２に必ずしも装着されなくとも、輝度または色度が検出できる場所であれば、どこでもよい。
【０２０６】
なお、いまの例では、１０％の白信号と１００％の白信号に基づく輝度または色度を検出するようにしたが、このパーセンテージは、限定されない。
【０２０７】
上述した一連の処理は、ハードウエアにより実行させることもできるし、ソフトウエアにより実行させることもできる。この場合、上述した処理は、図６に示されるようなパーソナルコンピュータ１０２により実行される。一連の処理をソフトウエアにより実行させる場合には、そのソフトウエアを構成するプログラムが、ネットワークや記録媒体からインストールされる。
【０２０８】
この記録媒体は、図６に示されるように、コンピュータとは別に、ユーザにプログラムを提供するために配布される、プログラムが記録されているリムーバブルメディア２２１よりなるパッケージメディアにより構成されるだけでなく、装置本体に予め組み込まれた状態でユーザに提供される、プログラムが記録されているROM２０２や記憶部２０８が含まれるハードディスクなどで構成される。
【０２０９】
なお、本明細書において、コンピュータプログラムを記述するステップは、記載された順序に従って時系列的に行われる処理はもちろん、必ずしも時系列的に処理されなくとも、並列的あるいは個別に実行される処理をも含むものである。
【図面の簡単な説明】
【０２１０】
【図１】本発明を適用したプラズマディスプレイの分解斜視図である。
【図２】図１のプラズマディスプレイの機能的構成例を示すブロック図である。
【図３】図２のプラズマディスプレイにおける表示調整処理を説明するフローチャートである。
【図４】図２のプラズマディスプレイにおける表示調整処理を説明するフローチャートである。
【図５】図２の調整部をネットワークに接続した場合の全体の構成を示す図である。
【図６】図５のパーソナルコンピュータの構成例を示すブロック図である。
【図７】図２のプラズマディスプレイにおける他のプラズマディスプレイへの表示調整処理の指令処理を説明するフローチャートである。
【図８】図２のプラズマディスプレイにおける他のプラズマディスプレイへの表示調整処理の指令処理を説明するフローチャートである。
【図９】図２のプラズマディスプレイにおける他のプラズマディスプレイへの表示調整処理の指令処理を説明するフローチャートである。
【図１０】図２のプラズマディスプレイにおける他のプラズマディスプレイへの表示調整処理の指令処理を説明するフローチャートである。
【図１１】図２の調整部における基準値送信処理を説明するフローチャートである。
【図１２】図２の調整部における基準値記憶処理を説明するフローチャートである。
【図１３】本発明を適用した他のプラズマディスプレイの構成例を示す図である。
【図１４】本発明を適用した他のプラズマディスプレイの分解斜視図である。
【図１５】図１４のプラズマディスプレイの機能的構成例を示すブロック図である。
【図１６】図１４のプラズマディスプレイの詳細な機能的構成例を示すブロック図である。
【図１７】図１４のプラズマディスプレイにおける表示調整処理を説明するフローチャートである。
【図１８】図１４のプラズマディスプレイにおける表示調整処理を説明するフローチャートである。
【図１９】図１７のステップＳ３０２の輝度レベルＣ／Ｏ検出処理を説明するフローチャートである。
【図２０】図１７のステップＳ３０３または図１８のステップＳ３１２の参照レベル読み出し処理を説明するフローチャートである。
【図２１】図１７のステップＳ３０４または図１８のステップＳ３１３の比較処理を説明するフローチャートである。
【図２２】図１７のステップＳ３０５または図１８のステップＳ３１４の比較結果出力処理を説明するフローチャートである。
【図２３】図１７のステップＳ３０６または図１８のステップＳ３１５のテーブル読み出し処理を説明するフローチャートである。
【図２４】図１７のステップＳ３０７または図１８のステップＳ３１６のγテーブル調整処理を説明するフローチャートである。
【図２５】γテーブルを説明する図である。
【図２６】図１８のステップＳ３１１の輝度レベルＨ／Ｒ検出処理を説明するフローチャートである。
【符号の説明】
【０２１１】
１  プラズマディスプレイ，  ３１  PDP，  ４２  熱伝導板，  ４３  駆動部，  ７０  調整部，  ８０  カラーセンサ，  ８１  マイクロコンピュータ，  ８２  ビデオゲインコントローラ，  ８３  EEPROM，  ８４  操作部，  ８５  受光部，  ８６  通信部，  １０２  パーソナルコンピュータ，  １０３  外部記憶装置，  ２５１  導光管，  ３００  プラズマディスプレイ，  ３１０  調整部，  ３５０  輝度検出部，  ３６０  比較部，  ３７０  参照レベル記憶部，  ３８０  テーブル記憶部，  ３９０  γテーブル調整部，  ４００  ビデオゲインコントローラ
【図１】
2005049609.tif 000003
【図２】
2005049609.tif 000004
【図３】
2005049609.tif 000005
【図４】
2005049609.tif 000006
【図５】
2005049609.tif 000007
【図６】
2005049609.tif 000008
【図７】
2005049609.tif 000009
【図８】
2005049609.tif 000010
【図９】
2005049609.tif 000011
【図１０】
2005049609.tif 000012
【図１１】
2005049609.tif 000013
【図１２】
2005049609.tif 000014
【図１３】
2005049609.tif 000015
【図１４】
2005049609.tif 000016
【図１５】
2005049609.tif 000017
【図１６】
2005049609.tif 000018
【図１７】
2005049609.tif 000019
【図１８】
2005049609.tif 000020
【図１９】
2005049609.tif 000021
【図２０】
2005049609.tif 000022
【図２１】
2005049609.tif 000023
【図２２】
2005049609.tif 000024
【図２３】
2005049609.tif 000025
【図２４】
2005049609.tif 000026
【図２５】
2005049609.tif 000027
【図２６】
2005049609.tif 000028